(57)【要約】【課題】熱膨張係数が小さく耐食性が良好であるというチタン酸アルミニウム焼結体の本来の特性を維持しつつ、機械的強度を向上させ、且つ高温下においても安定に使用可能なチタン酸アルミニウム系焼結体を提供する。【解決手段】ＴｉＯ２４０〜５０モル％とＡｌ２Ｏ３６０〜５０モル％からなる混合物１００重量部に対して、化学式：（ＮａｘＫ１−ｘ）ＡｌＳｉ３Ｏ８（０≦ｘ≦１）で表されるアルカリ長石を１〜１０重量部、並びにＭｇを含むスピネル型構造の酸化物、ＭｇＣＯ３及びＭｇＯからなる群から選ばれた少なくとも一種の成分を１〜１０重量部配合してなる原料混合物から形成された成形体を、１３００〜１７００℃で焼成することを特徴とするチタン酸アルミニウム系焼結体の製造方法。【選択図】図１
2004026508.tif 000002
【特許請求の範囲】
【請求項１】
ＴｉＯ２４０〜５０モル％とＡｌ２Ｏ３６０〜５０モル％からなる混合物１００重量部に対して、化学式：（ＮａｘＫ１−ｘ）ＡｌＳｉ３Ｏ８（０≦ｘ≦１）で表されるアルカリ長石を１〜１０重量部、並びにＭｇを含むスピネル型構造の酸化物、ＭｇＣＯ３及びＭｇＯからなる群から選ばれた少なくとも一種の成分を１〜１０重量部配合してなる原料混合物から形成された成形体を、１３００〜１７００℃で焼成することを特徴とするチタン酸アルミニウム系焼結体の製造方法。
【請求項２】
化学式：（ＮａｘＫ１−ｘ）ＡｌＳｉ３Ｏ８において、０．１≦ｘ≦１の範囲のアルカリ長石を用いる請求項１に記載のチタン酸アルミニウム系焼結体の製造方法。
【請求項３】
請求項１又は２の方法で得られるチタン酸アルミニウム系焼結体。
【発明の詳細な説明】
【０００１】
【発明の属する技術分野】
本発明は、チタン酸アルミニウム系焼結体の製造方法に関する。
【０００２】
【従来の技術】
チタン酸アルミニウム焼結体は、熱膨張係数が小さく、耐食性に優れた焼結体であり、例えば、アルミニウム、アルミニウム合金、銑鉄などの熔湯用の容器、取り鍋、トユなどの材料として使用した場合に、耐スラグ湿潤性、耐食性、耐スポーリング性等について優れた特性を発揮する耐熱材料として知られている。しかしながら、チタン酸アルミニウム焼結体は、焼結体を構成する結晶粒に熱膨張係数の異方性があるために、加熱、冷却に伴って結晶粒子界面に応力によるズレが生じ易く、微少クラックや空隙が進行して、機械的強度が低下し易いという欠点がある。
【０００３】
このため、従来のチタン酸アルミニウム焼結体は、強度が不十分であり、特に、高温下において負荷がかかる用途に用いる場合には、十分な耐用性を発揮することができない。
【０００４】
また、チタン酸アルミニウムは、１２８０℃以下では不安定であり、８００〜１２８０℃程度の温度域で使用するとＴｉＯ２とＡｌ２Ｏ３に分解し易く、この温度域では継続使用することが難しい。
【０００５】
チタン酸アルミニウムの焼結性を向上させて熱分解を抑制するために、二酸化珪素等の添加剤を原料に加えて焼成することが行われている。しかしながら、この場合には、得られる焼結体の耐火度が低下し易く、１４００℃程度以上の高温で使用可能な耐火度と機械的強度を併せ持ったチタン酸アルミニウム焼結体を得ることはできない。
【０００６】
【発明が解決しようとする課題】
本発明の主な目的は、熱膨張係数が小さく耐食性が良好であるというチタン酸アルミニウム焼結体の本来の特性を維持しつつ、機械的強度を実用レベルまで向上させ、且つ高温下においても安定に使用可能なチタン酸アルミニウム系焼結体を提供することである。
【０００７】
【課題を解決するための手段】
本発明者は、上記した如き課題に鑑みて鋭意研究を重ねた結果、二酸化チタンとアルミナからなる原料粉末を焼結させてチタン酸アルミニウム焼結体を得る際に、特定のアルカリ長石、並びにＭｇを含むスピネル型構造の酸化物、ＭｇＣＯ３及びＭｇＯからなる群から選ばれた少なくとも一種の成分を原料粉末中に存在させることによって、Ｍｇを含む成分とアルカリ長石とが相乗的に作用して、チタン酸アルミニウムが本来有する低熱膨張性を損なうことなく、機械的強度が大きく向上し、同時に熱分解耐性も向上して非常に高い耐火度を有するチタン酸アルミニウム焼結体が得られることを見出し、ここに本発明を完成するに至った。
【０００８】
即ち、本発明は、下記のチタン酸アルミニウム系焼結体の製造方法を提供するものである。
１．　ＴｉＯ２４０〜５０モル％とＡｌ２Ｏ３６０〜５０モル％からなる混合物１００重量部に対して、化学式：（ＮａｘＫ１−ｘ）ＡｌＳｉ３Ｏ８（０≦ｘ≦１）で表されるアルカリ長石を１〜１０重量部、並びにＭｇを含むスピネル型構造の酸化物、ＭｇＣＯ３及びＭｇＯからなる群から選ばれた少なくとも一種の成分を１〜１０重量部配合してなる原料混合物から形成された成形体を、１３００〜１７００℃で焼成することを特徴とするチタン酸アルミニウム系焼結体の製造方法。
２．　化学式：（ＮａｘＫ１−ｘ）ＡｌＳｉ３Ｏ８において、０．１≦ｘ≦１の範囲のアルカリ長石を用いる上記項１に記載のチタン酸アルミニウム系焼結体の製造方法。
３．　上記項１又は２の方法で得られるチタン酸アルミニウム系焼結体。
【０００９】
【発明の実施の形態】
本発明のチタン酸アルミニウム系焼結体の製造方法は、ＴｉＯ２とＡｌ２Ｏ３を含む混合物に、化学式：（ＮａｘＫ１−ｘ）ＡｌＳｉ３Ｏ８（０≦ｘ≦１）で表されるアルカリ長石、並びにＭｇを含むスピネル型構造の酸化物、ＭｇＣＯ３及びＭｇＯからなる群から選ばれた少なくとも一種の成分を添加したものを原料として用い、これから形成された成形体を、１３００〜１７００℃で焼成する方法である。
【００１０】
原料として用いるＴｉＯ２及びＡｌ２Ｏ３としては、焼成によりチタン酸アルミニウムを合成できる成分であれば特に限定はなく、通常、アルミナセラミックス、チタニアセラミックス、チタン酸アルミニウムセラミックス等の各種セラミックスの原料として用いられているものの内から適宜選択して用いればよい。
【００１１】
ＴｉＯ２とＡｌ２Ｏ３は、ＴｉＯ２４０〜５０モル％とＡｌ２Ｏ３５０〜６０モル％の割合で用いればよく、ＴｉＯ２４５〜５０モル％とＡｌ２Ｏ３５５〜６０モル％の割合で用いることが好ましい。特に、上記した配合割合の範囲内において、ＴｉＯ２に対するＡｌ２Ｏ３のモル比を１以上とすることによって、液相の共存を防ぐことが可能になる。
【００１２】
添加剤として用いるアルカリ長石は、化学式：（ＮａｘＫ１−ｘ）ＡｌＳｉ３Ｏ８で表されるものであり、式中ｘは、０≦ｘ≦１である。特に、上記した化学式において、０．１≦ｘ≦１の範囲が好ましく、０．１５≦ｘ≦０．８５の範囲がより好ましい。この様な範囲のｘ値を有するアルカリ長石は、融点が低く、チタン酸アルミニウムの焼結促進に特に有効である。
【００１３】
アルカリ長石の使用量は、ＴｉＯ２とＡｌ２Ｏ３の合計量１００重量部に対して、１〜１０重量部程度とすればよく、３〜４重量部程度とすることが好ましい。
【００１４】
本発明では、Ｍｇを含むスピネル型構造を有する酸化物、ＭｇＣＯ３及びＭｇＯについては、いずれか一種のみを用いても良く、或いは、二種以上を混合して用いても良い。これらの内で、Ｍｇを含むスピネル型構造を有する酸化物としては、例えば、ＭｇＡｌ２Ｏ４、ＭｇＴｉ２Ｏ４などを用いることができる。この様なスピネル型構造を有する酸化物としては、天然鉱物を用いても良く、或いは、ＭｇＯとＡｌ２Ｏ３を含む原料、ＭｇＯとＴｉＯ２含む原料等を焼成して得たスピネル型酸化物を用いてもよい。また、異なる種類のスピネル型構造を有する酸化物を二種以上混合して用いても良い。
【００１５】
Ｍｇを含むスピネル型構造の酸化物、ＭｇＣＯ３及びＭｇＯからなる群から選ばれた少なくとも一種の成分（以下、「Ｍｇ含有成分」という）の使用量は、ＴｉＯ２とＡｌ２Ｏ３の合計量１００重量部に対して、１〜１０重量部程度とすればよく、３〜６重量部程度とすることが好ましい。
【００１６】
また、本発明方法では、アルカリ長石中のＳｉと、Ｍｇ含有成分に含まれるＭｇとの割合は、Ｓｉ／Ｍｇ（モル比）が０．９〜１．１程度の範囲内であることが好ましく、０．９５〜１．０５程度の範囲内であることがより好ましい。
【００１７】
本発明の方法によれば、ＴｉＯ２とＡｌ２Ｏ３を含む混合物に、上記したＭｇ含有成分と、アルカリ長石を添加剤として配合し、この混合物を所定の形状に成形し、焼成することによって、機械的強度が大きく、熱分解耐性も良好な耐火性に優れたチタン酸アルミニウム系焼結体を得ることができる。
【００１８】
本発明方法によって機械的強度と熱分解耐性がともに良好な焼結体が得られる理由については、明確ではないが次の様に推測される。
【００１９】
即ち、焼成によってチタン酸アルミニウムが形成される際に、アルカリ長石中のＳｉが結晶格子に固溶してＡｌと置換する。ＳｉはＡｌよりイオン半径が小さいために周囲の酸素原子との結合距離が短くなり、格子定数は、純粋なチタン酸アルミニウムと比べて小さい値となる。その結果、得られる焼結体は、結晶構造が安定化して、機械的強度が向上し、更に、非常に高い熱的安定性を示すものとなって耐火度が大きく向上するものと考えられる。
【００２０】
一方、添加剤としてＭｇ含有成分を用いることによって、緻密な焼結体を得ることができ、純粋なチタン酸アルミニウムと比べて非常に高い機械的強度を有する焼結体を形成できる。
【００２１】
本発明方法では、この様な作用を有するアルカリ長石とＭｇ含有成分を添加剤として同時に用いることによって、アルカリ長石に含まれるＳｉと、Ｍｇ含有成分に含まれるＭｇが、チタン酸アルミニウム中において、主としてＡｌのサイトを置換すると予想される。これらの元素を単独で添加した場合には、本来三価で電荷のバランスが保たれているＡｌのサイトに、二価（Ｍｇ）あるいは四価（Ｓｉ）の元素が置換することになり、焼結体は電荷のバランスを保つために、Ｍｇを添加した場合には、酸素が系外へと放出されて酸素欠損を生じて電荷のバランスを保ち、Ｓｉを添加した場合には、Ｓｉは四価であるために，本来四価のＴｉが三価に還元することにより電荷のバランスをとるものと考えられる。本発明では、ＭｇはＡｌと比べて電荷が１小さく、ＳｉはＡｌと比べて電荷が１大きいために、アルカリ長石とＭｇ含有成分を同時に加えることによって電荷のバランスをとることができ、他の焼成体構成元素に影響を及ぼすことなく、固溶することができるものと考えられる。特に、この場合、両者の割合が等モル数に近い場合には、単独で添加した場合と比べて、より安定に添加物が存在できると考えられる。これらの理由により、両者が相乗的に作用して、単独で用いた場合と比べて強度が大きく向上し、チタン酸アルミニウムが本来有する低熱膨張性を損なうことなく、実用的レベルを超える高い機械的強度を有するものとなり、同時に熱分解耐性も向上して非常に高い耐火度を有するチタン酸アルミニウム焼結体が形成されるものと思われる。
【００２２】
ＴｉＯ２、Ａｌ２Ｏ３、アルカリ長石、並びにＭｇ含有成分を含む原料混合物は、充分に混合し、適当な粒径に粉砕した後、所定の形状に成形すれば良い。
【００２３】
原料混合物の混合・粉砕方法については、特に限定的ではなく常法に従えば良く、例えば、ボールミル、媒体撹拌ミル等を用いて混合・粉砕を行えばよい。
【００２４】
原料混合物の粉砕の程度については特に限定はないが、通常、１μｍ程度以下に粉砕すればよく、二次粒子が形成されないようにすれば、できるだけ小さい粒径まで粉砕することが好ましい。
【００２５】
原料混合物には、更に、必要に応じて、成形助剤を配合することができる。成形助剤としては、成形方法に応じて、従来から使用されている公知の成分を用いればよい。
【００２６】
この様な成形助剤としては、例えば、ポリビニルアルコール、マイクロワックスエマルジョン、カルボキシメチルセルロース等のバインダー、ステアリン酸エマルジョン等の離型剤、ｎ−オクチルアルコール、オクチルフェノキシエタノール等の消泡剤、ジエチルアミン、トリエチルアミン等の解膠剤等を用いることができる。
【００２７】
成形助剤の使用量についても特に限定的ではなく、成形方法に応じて従来と同様の配合量範囲から適宜選択すればよい。例えば、鋳込み成形用の成形助剤としては、ＴｉＯ２及びＡｌ２Ｏ３の合計量１００重量部に対して、バインダーを０．２〜０．６重量部程度、解膠剤０．５〜１．５重量部程度、離型剤（固形分量）を０．２〜０．７重量部程度、消泡剤を０．５〜１．５重量部程度用いることができる。
【００２８】
原料混合物の成形方法についても特に限定はなく、例えば、プレス成形、シート成形、鋳込み成形、押し出し成形、射出成形、ＣＩＰ成形等の公知の成形方法を適宜採用すればよい。
【００２９】
焼成温度については、１３００〜１７００℃程度、好ましくは１３５０〜１４５０℃程度とすればよい。
【００３０】
焼成雰囲気については特に限定はなく、通常採用されている大気中等の含酸素雰囲気、還元雰囲気、不活性雰囲気の何れでも良い。
【００３１】
焼成時間については特に限定はなく、成形体の形状などに応じて、充分に焼結が進行するまで焼成すれば良く、通常は、上記した温度範囲に１〜１０時間程度維持すればよい。焼成の際の昇温速度及び降温速度についても、特に限定はなく、焼結体にクラックが入らないような条件を適宜設定すればよい。
【００３２】
本発明方法によって得られる焼結体は、上記した様な特徴を有するものであり、高い機械的強度と低熱膨張率を兼ね備え、しかも結晶構造が安定化されていることにより、優れた耐分解性を有するものとなり、耐火度についても高い値を示すものとなる。その結果、数百度から１６００℃程度の高温下においても、チタン酸アルミニウムの分解反応が抑制されて安定に使用できる。また、曲げ強度については、従来のチタン酸アルミニウム焼結体と比べて、ほぼ６倍程度の曲げ強度である約９０ＭＰａを上回る非常に高い強度とすることが可能である。また、本発明の方法では、クラックを生じることなく焼結が可能であり、緻密な焼結体とすることができ、得られる焼結体は、耐熱衝撃性も良好となる。
【００３３】
本発明方法によって得られる焼結体は、溶融金属に対して極めて優れた非濡れ性及び耐食性を示し、その結果、流動する溶融金属に対してこれまでの材料では全く考えられない程の優れた耐エロージョン性を発揮できる。
【００３４】
本発明のチタン酸アルミニウム系焼結体は、上記した優れた特性を利用して、例えば、金属溶解ルツボ、ラドル、トユ等の高融点金属用容器、航空機用ジェットエンジンの高温部用部品、ジェットノズル、各種内燃機関のグロープラグ、シリンダー、ピストンヘッド等の高温部用部品、宇宙船等の外壁用断熱及び遮蔽板等の各種用途に用いることができ、更に、その低膨脹性を利用して、ＬＳＩ製造工程における印刷加工用の定盤等としても有効に利用できる。
【００３５】
【発明の効果】
本発明の製造方法によって得られるチタン酸アルミニウム系焼結体は、チタン酸アルミニウム本来の低膨脹率を維持した上で、高い機械的強度を有し、耐熱衝撃性も良好である。また、該チタン酸アルミニウム系焼結体は、耐分解性に優れ、耐火度についても高い値を示し、高温下でも安定に使用できる。
【００３６】
【実施例】
以下、実施例を挙げて本発明を更に詳細に説明する。
【００３７】
実施例１
アナタース型酸化チタン４３．９重量％（５０モル％）と易焼結α型アルミナ５６．１重量％（５０モル％）からなる混合物１００重量部に対して、化学式：（Ｎａ０．６Ｋ０．４）ＡｌＳｉ３Ｏ８で表されるアルカリ長石を４重量部、化学式：ＭｇＡｌ２Ｏ４で表されるスピネルを６重量部、バインダーとしてポリビニルアルコールを０．２５重量部、解膠剤としてジエチルアミンを１重量部、消泡剤としてポリプロピレングリコール０．５重量部を加え、ボールミルで３時間混合後、１２０℃の乾燥機で１２時間以上乾燥させて原料粉末を得た。
【００３８】
得られた原料粉末を１５０メッシュ程度に粉砕し、６０ＭＰａの成形圧でプレスして１００ｍｍ×１００ｍｍ×１０ｍｍの成形体を得た。
【００３９】
この成形体について、下記の加熱パターン条件によって大気中で焼成した後、放冷してチタン酸アルミニウム系焼結体を得た。
（加熱パターン）
０−１８０℃　６時間
１８０℃保持　４時間（水分蒸発）
１８０−３４０℃　４時間
３４０℃保持　４時間（有機バインダー燃焼）
３４０−７００℃　４時間
７００℃保持　２時間　（残存炭素燃焼）
７００−１４００℃　４時間
１４００℃保持　４時間
得られた焼結体を５ｍｍ×５ｍｍ×２０ｍｍに切り出し、表面研磨を行った後、昇温速度２０℃／分の条件で熱膨張係数の測定を行った。結果を下記表１に示す。
【００４０】
【表１】
2004026508.tif 000003
【００４１】
以上の結果から明らかなように、本発明方法によって得られる焼結体は、熱膨張係数が小さく、チタン酸アルミニウム本来の低膨張性を維持したものであることが判る。
【００４２】
実施例２
実施例１と同様の原料を用い、焼成時の加熱パターンを下記の通りとすること以外は、実施例１と同様にしてチタン酸アルミニウム系焼結体を得た。
（加熱パターン）
０−１８０℃　６時間
１８０℃保持　４時間（水分蒸発）
１８０−３４０℃　４時間
３４０℃保持　４時間（有機バインダー燃焼）
３４０−７００℃　４時間
７００℃保持　２時間　（残存炭素燃焼）
７００−１３５０℃　４時間
１３５０℃保持　４時間
得られたチタン酸アルミニウム系焼結体を３ｍｍ×４ｍｍ×４０ｍｍに切り出し、表面研磨を行った後、３点曲げ強度を測定した。
【００４３】
尚、比較として、スピネルを用いることなくアルカリ長石４重量部のみを添加剤として使用し、それ以外は実施例１と同様の配合の原料と用いて実施例２と同様の条件（焼成温度１３５０℃）で焼成して得た焼結体（比較例１）、アルカリ長石を用いることなくスピネル６重量部のみを添加剤として使用し、それ以外は上記した実施例１と同様の配合の原料を用いて実施例２と同様の条件（焼成温度１３５０℃）で焼成して得た焼結体（比較例２）についても、同様にして３点曲げ強度測定を行った。結果を下記表２に示す。
【００４４】
【表２】
2004026508.tif 000004
【００４５】
以上の結果から明らかなように、アルカリ長石とスピネルを同時に添加して得られた実施例２のチタン酸アルミニウム系焼結体は、アルカリ長石とスピネルのいずれか一方のみを添加して得られた比較例１及び比較例２のチタン酸アルミニウム系焼結体と比べて、高い機械的強度を有することが判る。
【００４６】
また、実施例２のチタン酸アルミニウム系焼結体、アルカリ長石のみを添加して得られた比較例１の焼結体、及びスピネルのみを添加して得られた比較例２の焼結体について、１０ｍｍ×１０ｍｍ×１０ｍｍに切り出して、１０００℃の大気中に保持して、チタン酸アルミニウムの残存率の経時変化をＸ線回折測定により求めた。尚、チタン酸アルミニウムの残存率については、チタン酸アルミニウムが分解してアルミナとルチルを生じるので、ルチルの（１１０）（１０１）面の回折強度を求め、その面積の和からルチル量を定量することによって算出した。
【００４７】
更に、スピネルとアルカリ長石を添加することなく、それ以外は実施例１と同様の配合の原料を用い、実施例１と同様の条件（焼成温度１４００℃）で焼成して得た焼結体についても、同様にしてチタン酸アルミニウムの残存率の経時変化を求めた。以上の結果を図１においてグラフとして示す。
【００４８】
図１から明らかなように、実施例２のチタン酸アルミニウム系焼結体は、高温で長時間放置した場合にもＴｉＯ２とＡｌ２Ｏ３とへの分解が生じにくく、優れた熱分解耐性を有するものであることが判る。
【図面の簡単な説明】
【図１】１０００℃の大気中に保持した場合のチタン酸アルミニウム残存率の経時変化を示すグラフ。
【図１】
2004026508.tif 000005
【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
ＴｉＯ２４０〜５０モル％とＡｌ２Ｏ３６０〜５０モル％からなる混合物１００重量部に対して、化学式：（ＮａｘＫ１―ｘ）ＡｌＳｉ３Ｏ８（０≦ｘ≦１）で表されるアルカリ長石を１〜１０重量部、並びにＭｇを含むスピネル型構造の酸化物、ＭｇＣＯ３及びＭｇＯからなる群から選ばれた少なくとも一種の成分を１〜１０重量部配合してなる原料混合物から形成された成形体を、１３００〜１７００℃で焼成することを特徴とするチタン酸アルミニウム系焼結体の製造方法。
【請求項２】
化学式：（ＮａｘＫ１―ｘ）ＡｌＳｉ３Ｏ８において、０．１≦ｘ≦１の範囲のアルカリ長石を用いる請求項１に記載のチタン酸アルミニウム系焼結体の製造方法。